(57)【要約】【課題】プラズマディスプレイ装置において、複数の領域に分割してアドレス放電を順次行う場合に、放電状態を安定させ、輝度を確保することを目的とする。【解決手段】複数本のスキャン電極とこのスキャン電極と平行に配置された複数本のサステイン電極と前記スキャン電極とサステイン電極に直交する複数本のデータ電極とを有するプラズマディスプレイパネル１２と、前記スキャン電極を複数のグループに分割するとともにそのグループ毎に設けられかつ前記スキャン電極に順次スキャンパルスを印加する複数個のスキャンパルスＩＣ２２−１〜２２−４とを有し、任意のグループに含まれるスキャン電極に印加するスキャンパルスに基づいて、次にスキャンパルスが出力される他のグループのスキャンパルスＩＣの制御信号とするように構成した。【選択図】図１
2005070599.tif 000002
【特許請求の範囲】
【請求項１】
複数本の第１の行電極とこの第１の行電極と平行に配置された複数本の第２の行電極と前記第１の行電極と第２の行電極に直交する複数本の列電極とを有するプラズマディスプレイパネルと、前記第１の行電極を複数のグループに分割するとともにそのグループ毎に設けられかつ前記第１の行電極に順次スキャンパルスを印加する複数個のスキャンパルスＩＣとを有し、任意のグループに含まれる第１の行電極に印加するスキャンパルスに基づいて、次にスキャンパルスが出力される他のグループのスキャンパルスＩＣの制御信号とするように構成したことを特徴とするプラズマディスプレイ装置。
【請求項２】
複数本の第１の行電極とこの第１の行電極と平行に配置された複数本の第２の行電極と前記第１の行電極と第２の行電極に直交する複数本の列電極とを有するプラズマディスプレイパネルと、前記第１の行電極を複数のグループに分割するとともにそのグループ毎に設けられかつ前記第１の行電極に順次スキャンパルスを印加する複数個のスキャンパルスＩＣとを有し、任意のグループのスキャンパルスＩＣが前記第１の行電極に順次スキャンパルスを出力した後に制御信号を出力し、次にスキャンパルスを出力する他のグループのスキャンパルスＩＣに前記制御信号を入力して順次スキャンパルスを出力するように構成したことを特徴とするプラズマディスプレイ装置。
【請求項３】
スキャンパルスＩＣのスキャンパルスの振幅および極性の少なくとも一方を変換して制御信号とすることを特徴とする請求項１または２に記載のプラズマディスプレイ装置。
【発明の詳細な説明】
【技術分野】
【０００１】
本発明は、プラズマディスプレイ装置に関するものである。
【背景技術】
【０００２】
交流放電型のプラズマディスプレイ装置に用いられるプラズマディスプレイパネルでは、放電によって発生する紫外線を可視光に変換することによってセルを点灯させて映像を表示する。図４はそのパネルの構造を示す概略図である。前面板１の表面には第１の行電極であるスキャン電極２および第２の行電極であるサステイン電極３が形成され、それらの電極を覆うように誘電体４および保護膜５が形成されている。また、背面板６の表面には前記スキャン電極２およびサステイン電極３と直交するようにデータ電極７が形成され、そのデータ電極７を覆うように誘電体８が形成されているとともに、隔壁９および蛍光体１０が配置されている。またセル内の空間には放電ガス１１が封入されており、各電極に印加される電圧を制御することによって放電ガス１１を励起状態にして放電を行い、蛍光体１０によって放電によって生じた紫外線を可視光に変換し、所定の表示を行うものである。
【０００３】
この交流放電型プラズマディスプレイ装置では、１フレームの映像を複数のサブフィールドに分割することによって階調表現を行う。更に、１サブフィールドを更に４つの期間に分割して駆動を行う。図５は一般的なプラズマディスプレイ装置の駆動波形を示す図である。
【０００４】
図５において、セットアップ期間では、スキャン電極２にはセットアップパルスＰｓｅｔを印加する。これにより、放電を行ってアドレス放電に必要な電荷を各電極表面に蓄積させる。このように、各電極表面に蓄積された電荷を壁電荷と称す。
【０００５】
アドレス期間では、サステイン電極３に一定電圧を印加し、データ電極７にデータパルスＰｗを、スキャン電極２にスキャンパルスＰｓｃｎを印加することによって、まずデータ電極−スキャン電極間で放電を行い、この放電がトリガとなってスキャン電極−サステイン電極間で放電が起こる。このアドレス放電によって、サステイン放電に必要な壁電荷を形成する。この期間では、水平ラインの奇数行と偶数行の領域に分割して一方の領域のアドレス放電を順次行った後に、他方の領域のアドレス放電を行い、かつ、領域毎にセルのサステイン電極３の電位を変化させることによって、隣接するセルにまたがって生じる放電を抑える。この駆動方法は特許文献１に提示されている。
【０００６】
サステイン期間では、スキャン電極２およびサステイン電極３に交互にサステインパルスＰｓｕｓを印加して連続して放電させる。このサステイン放電によって、アドレス期間で書き込まれたセルが点灯する。
【０００７】
イレース期間ではイレースパルスＰｅを印加し壁電荷を消去することによってセルの点灯を停止させる。
【０００８】
図６は一般的なプラズマディスプレイ装置の構成を示した図である。図６において、プラズマディスプレイパネル１２には、水平に複数本のスキャン電極２およびサステイン電極３が配置されている。スキャン電極２はスキャンパルスを出力するスキャンパルスＩＣ１３を介してスキャン電極駆動部１４に接続され、サステイン電極３はサステイン電極駆動部１５の出力が接続されている。一方、垂直方向には複数本のデータ電極７が配置され、データ電極駆動部１６の出力が接続されている。なお、１７は映像信号処理部、１８は同期分離部、１９はタイミングパルス発生部である。
【０００９】
図６において、入力信号は映像信号処理部１７に入力され、プラズマディスプレイに適した信号に変換されてデータ電極駆動部１６に入力する。また、入力信号は同期分離部１８にも入力され、そこで同期パルスが分離される。分離された同期パルスは、同期分離部１８の出力部に接続されたタイミングパルス発生部１９に送られる。タイミングパルス発生部１９の出力端は、映像信号処理部１７、データ電極駆動部１６、スキャン電極駆動部１４、サステイン電極駆動部１５およびスキャンパルスＩＣ１３のそれぞれ入力端に接続され、各駆動部の出力タイミングを制御する。これにより、各駆動部からは前述の駆動波形が出力されて、各電極の交点に構成されたセルの発光を制御する。
【００１０】
次に、図７を用いてアドレス期間でのスキャンパルスＩＣの動作について述べる。スキャンパルスＩＣ１３−１〜１３−４は、タイミングパルス発生部１９からの制御信号２０が入力され、データ電極駆動部１６から出力されるデータパルスＰｗとタイミングを合わせてスキャンパルスＰｓｃｎを出力する。ここで、複数のＩＣにまたがってスキャンパルスＰｓｃｎを順次出力するために、所定の出力を行った後に、次に出力すべきスキャンパルス発生に対し制御信号２１を出力する。例えば、最初にスキャンパルスＰｓｃｎを出力するＩＣをスキャンパルスＩＣ１３−１、その次に出力するＩＣをスキャンパルスＩＣ１３−２、順にスキャンパルスＩＣ１３−３、１３−４とする。スキャンパルスＩＣ１３−１はタイミングパルス発生部１９からの制御信号２０を受けて１本目の出力端子から順次スキャンパルスＰｓｃｎを出力する。その後、最後の出力端子からパルスを出力すると、制御信号２１を出力する。この信号を受けてスキャンパルスＩＣ１３−２は制御信号２０のタイミングに合わせて１本目の出力端子から順次スキャンパルスＰｓｃｎを出力する。
【００１１】
これによって、スキャンパルスＩＣ１３−１〜１３−ｎは順次パルスを出力することができる。また、水平ラインの奇数行と偶数行のグループに分割して一方の領域のアドレス放電を順次行った後、他方のグループのアドレス放電を行う場合、例えば、同図では奇数行のグループのスキャン電極２をスキャンパルスＩＣ１３−１、１３−２に接続し、同様に、偶数行のグループのスキャン電極２をスキャンパルスＩＣ１３−３、１３−４に接続する。それとともに、スキャンパルスＩＣ１３−２から出力される制御信号２１を、偶数行のグループの最初にパルスを出力するスキャンパルスＩＣ１３−３に入力することにより駆動することができる。
【００１２】
近年、高精細化にともなってセル間の距離が狭くなる傾向にある。これにより、アドレス放電や維持放電を行った時に隣接するセルにまたがって放電が生じて、著しく表示状態が悪化する。
【００１３】
これに対し、特許文献１に提案されている駆動方法のように、水平ラインの奇数行と偶数行の領域に分割してアドレス放電を順次行うことにより、表示状態の劣化を防ぐことができる。この駆動方法を実際に行うにあたって、一つのスキャンパルスＩＣで複数本のスキャン電極２にスキャンパルスＰｓｃｎを順次印加することができるが、奇数行または偶数行に分割して選択的にスキャンパルスＰｓｃｎを印加することができないという課題がある。そのため、スキャンパルスＩＣを奇数行と偶数行の二つのグループに分割しなければならない。
【００１４】
ここで、奇数行のグループの最後にパルスを出力するスキャンパルスＩＣの出力のうち、少なくとも１本以上の出力端子がスキャン電極に接続されない場合は、既存のスキャンパルスＩＣでは出力が全て終了しなければ制御信号は出力されない。つまり、この場合では、余った端子の出力が終了するまで、次に出力するべきスキャンパルスＩＣに制御信号が入力されずスキャンパルスＰｓｃｎが出力されない。こうして不要な時間が費やされる。この時間を補うために各期間で印加されるパルス幅を短縮したり、サステインパルス数を減らさなければならず、これにより放電状態が不安定になったり、輝度が低下する。
【特許文献１】特開平９−３１１６１号公報
【発明の開示】
【発明が解決しようとする課題】
【００１５】
本発明は複数の領域に分割してアドレス放電を順次行う場合に、放電状態を安定させ、輝度を確保することを目的とする。
【課題を解決するための手段】
【００１６】
以上の課題を解決するために、本発明のプラズマディスプレイ装置は、プラズマディスプレイパネルの第１の行電極を複数のグループに分割するとともにそのグループ毎に設けられかつ前記第１の行電極に順次スキャンパルスを印加する複数個のスキャンパルスＩＣを有し、任意のグループに含まれる第１の行電極に印加するスキャンパルスに基づいて、次にスキャンパルスが出力される他のグループのスキャンパルスＩＣの制御信号とするように構成したことを特徴とする。
【発明の効果】
【００１７】
本発明によれば、スキャン電極の本数よりスキャンパルスＩＣの出力端子の本数が多い場合でも、不要な時間を費やすことなく、放電状態を安定させて輝度を確保することができる。
【発明を実施するための最良の形態】
【００１８】
本発明においては、複数本の第１の行電極とこの第１の行電極と平行に配置された複数本の第２の行電極と前記第１の行電極と第２の行電極に直交する複数本の列電極とを有するプラズマディスプレイパネルと、前記第１の行電極を複数のグループに分割するとともにそのグループ毎に設けられかつ前記第１の行電極に順次スキャンパルスを印加する複数個のスキャンパルスＩＣとを有し、任意のグループに含まれる第１の行電極に印加するスキャンパルスに基づいて、次にスキャンパルスが出力される他のグループのスキャンパルスＩＣの制御信号とするように構成したことを特徴とする。
【００１９】
また、複数本の第１の行電極とこの第１の行電極と平行に配置された複数本の第２の行電極と前記第１の行電極と第２の行電極に直交する複数本の列電極とを有するプラズマディスプレイパネルと、前記第１の行電極を複数のグループに分割するとともにそのグループ毎に設けられかつ前記第１の行電極に順次スキャンパルスを印加する複数個のスキャンパルスＩＣとを有し、任意のグループのスキャンパルスＩＣが前記第１の行電極に順次スキャンパルスを出力した後に制御信号を出力し、次にスキャンパルスを出力する他のグループのスキャンパルスＩＣに前記制御信号を入力して順次スキャンパルスを出力するように構成したことを特徴とする。
【００２０】
さらに、本発明においては、スキャンパルスＩＣのスキャンパルスの振幅および極性の少なくとも一方を変換して制御信号とすることを特徴とする。
【００２１】
以下、本発明の一実施の形態によるプラズマディスプレイ装置について図１〜図３を用いて説明する。なお、図１〜図３において、図４〜図７に示す部分と同一部分については同一番号を付している。
【００２２】
図１に本発明の一実施の形態によるプラズマディスプレイ装置の要部の回路構成を示しており、図１においてスキャンパルスＩＣ２２−１〜２２−４は、タイミングパルス発生部１９からの制御信号２０が入力され、データ電極駆動部１６から出力されるデータパルスＰｗとタイミングを合わせてスキャンパルスＰｓｃｎを出力するもので、前記複数のグループに分割されたスキャン電極２のグループ毎に設けられている。ここで、スキャンパルスＩＣ２２−１〜２２−４は、例えばスキャンパルスＩＣ２２−１が所定の出力を行った後に、次に出力すべきスキャンパルスＩＣ２２−２に対し、制御信号２１を出力し、複数のスキャンパルスＩＣにまたがってスキャンパルスＰｓｃｎを順次出力する。
【００２３】
本発明においては、スキャン電極２を複数のグループに分割して駆動する場合に、一方のグループのスキャンパルスＩＣから出力されるスキャンパルスＰｓｃｎの振幅および極性の少なくとも一方を変換して制御信号２１の代替の信号を作成し、他方のグループのスキャンパルスＩＣに入力するように構成している。
【００２４】
ここで、スキャン電極２を奇数行と偶数行のグループに分割し、それらをグループ毎にそれぞれスキャンパルスＩＣ２２−１、２２−２およびスキャンパルスＩＣ２２−３、２２−４の出力端子に接続された場合を考えると、仮に奇数行のグループのスキャン電極２の電極本数は１２７本、スキャンパルスＩＣ２２−１、２２−２の出力端子本数はそれぞれ６４本とし、スキャンパルスＩＣ２２−２の６４本目の出力端子は接続されていないとする。
【００２５】
このとき、従来の駆動では、スキャンパルスＩＣ２２−２の６４本目の出力端子からスキャンパルスＰｓｃｎが出力されない限り、制御信号２１が出力されず、その間、スキャンパルスＩＣ２２−３の動作は停止した状態となる。これでは不要な時間が費やされる。そこで、スキャンパルスＩＣ２２−２の６３本目から出力されたスキャンパルスＰｓｃｎの振幅または極性またはその双方をパルス変換部２３を介して変換し、制御信号２１の代わりにスキャンパルスＩＣ２２−３に入力することによって、スキャンパルスＩＣ２２−２の６４本目の出力端子から出力すると同時に、スキャンパルスＩＣ２２−３の１本目の出力端子から出力される。つまり、奇数行のグループと偶数行のグループのスキャン電極２に連続してスキャンパルスＰｓｃｎが順次印加される。これにより、前述の不要な時間を無くすことができる。
【００２６】
なお、本実施の形態として、スキャンパルスＩＣ２２−２の出力端子の６４本目が接続されていない例について述べたが、ｍ〜６４本目の端子が接続されていない場合でも、ｍ−１本目の出力端子から出力されるパルスの振幅または極性またはその双方を変換し、制御信号２１の代わりにスキャンパルスＩＣ２２−３に入力することによって、同等の効果が得られる。
【００２７】
また、奇数行のグループと偶数行のグループのスキャン電極２に連続してスキャンパルスＰｓｃｎを順次印加する場合について述べたが、スキャンパルスＩＣ２２−２の複数本の出力端子が接続されていない場合、その任意の出力端子にパルス変換部２３を接続してスキャンパルスＩＣ２２−３に入力することによって、スキャンパルスＩＣ２２−３の出力を任意のタイミングで行うことができる。
【００２８】
このパルス変換部２３の一例を図２に示す。図１と同様の場合では、スキャンパルスＩＣ２２−２の６３本目の端子からの出力が制御信号２１と同極性のパルスならば、抵抗器２４、２５の２つによる抵抗分割にて制御信号の振幅を設定し、スキャンパルスＩＣ２２−３の制御信号２１の代替として入力する。また、制御信号の極性が異なる場合は、抵抗器２６〜２８およびトランジスタ２９を用いた簡単なスイッチング回路により極性反転して、スキャンパルスＩＣ２２−３の制御信号２１の代替として入力する。このようにすることによって、スキャンパルスＩＣ２２−２の６４本目の出力端子から出力すると同時にスキャンパルスＩＣ２２−３の１本目の出力端子からＰｓｃｎが出力することができる。
【００２９】
以上のようにスキャン電極を複数のグループに分割して駆動する場合に、一方のグループのスキャンパルスＩＣから出力されるスキャンパルスＰｓｃｎの振幅または極性またはその双方を変換した信号を、他方のグループのスキャンパルスＩＣに入力することで、放電状態を安定させ、輝度を確保することができる。
【００３０】
図３は本発明の他の実施の形態によるプラズマディスプレイ装置の要部の回路構成を示す図である。この実施の形態は、図１の実施の形態とほぼ同じであるが、相違点はスキャンパルスＩＣ２２−２に代わり、スキャンパルスＩＣ２２−１の６４本目の出力端子を接続せずに、スキャンパルスＩＣ２２−１の６３本目から出力されたスキャンパルスＰｓｃｎの振幅または極性またはその双方をパルス変換部２３を介して変換し、制御信号２１の代わりにそれをスキャンパルスＩＣ２２−２に入力するように構成したものである。
【００３１】
これによって、スキャンパルスＩＣ２２−１の６４本目の出力端子から出力すると同時に、スキャンパルスＩＣ２２−２の１本目の出力端子から出力され、スキャンパルスＩＣ２２−２の全ての出力端子をスキャン電極２に接続することができ、かつそのスキャンパルスＩＣ２２−１から出力される制御信号２１をスキャンパルスＩＣ２２−３に入力し、奇数行のグループと偶数行のグループのスキャン電極２に連続してスキャンパルスＰｓｃｎを順次印加することができる。これにより、前述の不要な時間が無くすことができる。
【００３２】
なお、スキャンパルスＩＣ２２−１の出力端子の６４本目が接続されていない例について述べたが、ｍ〜６４本目の端子が接続されていない場合でもｍ−１本目の出力端子から出力されるパルスの振幅または極性またはその双方を変換し、制御信号２１の代わりにスキャンパルスＩＣ２２−２に入力することによって、同等の効果が得られる。
【００３３】
以上のように、スキャン電極を複数のグループに分割して駆動する場合に、一方のグループのスキャンパルスＩＣから出力されるスキャンパルスＰｓｃｎの振幅または極性またはその双方を変換した信号を、同グループのスキャンパルスＩＣに入力することで、放電状態を安定させ、輝度を確保することができる。
【産業上の利用可能性】
【００３４】
本発明によれば、スキャン電極の本数よりスキャンパルスＩＣの出力端子の本数が多い場合でも、不要な時間を費やすことがなくなり、プラズマディスプレイ装置において、放電状態を安定させて輝度を確保する上で有用となる。
【図面の簡単な説明】
【００３５】
【図１】本発明の一実施の形態によるプラズマディスプレイ装置の要部の回路図
【図２】同装置の要部の回路図
【図３】本発明の他の実施の形態によるプラズマディスプレイ装置の要部の回路図
【図４】一般的な交流放電型プラズマディスプレイパネルの構成を示す斜視図
【図５】スキャンパルスＩＣの動作を示す波形図
【図６】プラズマディスプレイ装置の回路構成を示すブロック図
【図７】同装置の要部の回路図
【符号の説明】
【００３６】
２  スキャン電極
３  サステイン電極
７  データ電極
１２  プラズマディスプレイパネル
２０、２１  制御信号
２２−１〜２２−４  スキャンパルスＩＣ
【図１】
2005070599.tif 000003
【図２】
2005070599.tif 000004
【図３】
2005070599.tif 000005
【図４】
2005070599.tif 000006
【図５】
2005070599.tif 000007
【図６】
2005070599.tif 000008
【図７】
2005070599.tif 000009